(57)【要約】  ポジティブロックレセプタクル（１００）を含むレセプタクルコネクタが開示され、このポジティブロックレセプタクルは、ワイヤ受け入れ部分（１０２、１１２、１１４）とハウジング挿入部分（１０４）を含む。ハウジング挿入部分（１０４）は第１の電気コンタクトロール（１２０）と第２の電気コンタクトロール（１２２）を更に含む。レセプタクルコネクタは、ポジティブロックレセプタクル（１００）を受け入れるように適合されたハウジング（２００）も含む。ハウジングは、絶縁ハウジング本体（２１０）と、絶縁ハウジング本体（２１０）内に配置されている第１及び第２のクラッシュリブ（２１４、２１６）とを含み、第１及び第２のクラッシュリブ（２１４、２１６）は、ハウジング挿入部分（１０４）がハウジング（２００）に挿入されたとき、第１及び第２の電気コンタクトロール（１２０、１２２）にそれぞれ係合し、これらを固定する。【選択図】図５
2019525438.tif 000002
【特許請求の範囲】
【請求項１】
レセプタクルコネクタであって、
（ａ）ポジティブロックレセプタクル（１００）と
（ｂ）前記ポジティブロックレセプタクル（１００）を受け入れるように適合されたハウジング（２００）とを含み、
前記ポジティブロックレセプタクル（１００）は、
（ｉ）ワイヤ受け入れ部分（１０２、１１２、１１４）、並びに
（ｉｉ）第１の電気コンタクトロール（１２０）及び第２の電気コンタクトロール（１２２）を含む、ハウジング挿入部分（１０４）を含み、
前記ハウジング（２００）は、
（ｉ）絶縁ハウジング本体（２１０）、並びに
（ｉｉ）前記絶縁ハウジング本体（２１０）内に配置されている第１のクラッシュリブ（２１４）及び前記絶縁ハウジング本体（２１０）内に配置されている第２のクラッシュリブ（２１６）を含み、
（ｉｉｉ）前記第１のクラッシュリブ（２１４）及び前記第２のクラッシュリブ（２１６）は、前記ポジティブロックレセプタクル（１００）の前記ハウジング挿入部分（１０４）が前記ハウジング（２００）に挿入されたとき、前記第１の電気コンタクトロール（１２０）及び第２の電気コンタクトロール（１２２）にそれぞれ係合しこれらを固定する、レセプタクルコネクタ。
【請求項２】
前記ハウジング（２００）には、複数の保持タブ（２１２）が更に形成されている、請求項１に記載のレセプタクルコネクタ。
【請求項３】
キャップ（３００）を更に備え、前記キャップ（３００）には、複数の保持アーム（３０４）が更に形成されており、前記複数の保持アーム（３０４）は、前記ハウジング（２００）に形成されている前記複数の保持タブ（２１２）と協働して、前記キャップ（３００）を前記ハウジング（２００）に接続し前記ポジティブロックレセプタクル（１００）を囲い込む、請求項２に記載のレセプタクルコネクタ。
【請求項４】
前記ポジティブロックレセプタクル（１００）の前記ワイヤ受け入れ部分（１０２、１１２、１１４）は、第１のキャリアストリップ（１１０）と、絶縁クリンプ（１１２）と、ワイヤバレルクリンプ（１１４）と、人間工学に基づいた保持壁（１１６）と、第２のキャリアストリップ（１１８）と、を更に含む、請求項１に記載のレセプタクルコネクタ。
【請求項５】
前記ポジティブロックレセプタクル（１００）の前記ハウジング挿入部分（１０４）は、ロック陥凹部（１２４）と解放ラッチ（１２６）とを更に含む、請求項１に記載のレセプタクルコネクタ。
【請求項６】
前記ハウジング（２００）は他のコネクタと嵌合するための嵌合端部（２０２）と、前記ポジティブロックレセプタクル（１００）の前記ハウジング挿入部分（１０４）を受け入れるためのレセプタクル挿入端部（２０４）と、を更に含む、請求項１に記載のレセプタクルコネクタ。
【請求項７】
前記ハウジング（２００）には、ポジティブロックカム（２１８）と、第１のコンタクト停止部（２２０）と、第２のコンタクト停止部（２２２）と、第３のコンタクト停止部（２２４）とが更に形成されている、請求項１に記載のレセプタクルコネクタ。
【請求項８】
前記ハウジング（２００）は、前記ハウジング（２００）に電気絶縁特性を付与する材料を含む、請求項１に記載のコネクタハウジング。
【発明の詳細な説明】
【技術分野】
【０００１】
記載する発明は一般に電気コネクタに関し、より具体的には、絶縁されているハウジングに挿入されているポジティブロックレセプタクルを確実に保持することを可能にする、当該絶縁されているハウジングに関する。
【背景技術】
【０００２】
レセプタクルコネクタは、様々な電子技術用途で一般に使用されているデバイスである。かかるデバイスは典型的には、２つの主要な構成要素、すなわち（ｉ）ワイヤを受け入れ終端するための端子又はレセプタクル、並びに（ｉｉ）このレセプタクルを受け入れるためのハウジングを含む。適切に組み付けられると、レセプタクルに絶縁材を除去したワイヤが挿入され、レセプタクルはハウジングに挿入される。ハウジングを覆うように保護キャップを載置して、ワイヤ及びレセプタクルを囲い込んでもよい。この組立体はその後、適宜別のワイヤ又は電気デバイスに接続される（すなわち、嵌合される）。
【０００３】
一部のレセプタクルは、「ポジティブロック」レセプタクルとして設計されており、嵌合力が小さいこと、可撓性ラッチ上のロック陥凹部が大きいことなど独特の特徴を含む。このロック機構では、対応する嵌合開口内に入るロック陥凹部の可聴の「カチッという音（ｓｎａｐ）」によって、適切な嵌合が確認される。この設計により、隔離された到達困難なエリアに関して、嵌合対の安全性及び信頼性が向上する。解放ラッチが手動で押下されるまで、レセプタクルをハウジングから取り外すことはできない。この結果、不適正な設置又は意図しない端子の脱離によって、通電されている部品が露出すること又は重要な回路構成が遮断される可能性が、大きく低減される。
【発明の概要】
【発明が解決しようとする課題】
【０００４】
しかしながら、状況によっては、組み付けられたコネクタはかなりの力又は張力を受けている場合があり、ポジティブロック構成があったとしても、ハウジングからレセプタクルが引っ張られて緩む可能性がある。このように、レセプタクルコネクタの組み付け後にハウジング内でレセプタクルを効果的に保持するための特定の追加の構造的機構を含むハウジングが、かねてから必要とされている。
【課題を解決するための手段】
【０００５】
本発明によれば、第１のレセプタクルコネクタが提供される。このレセプタクルコネクタは、ワイヤ受け入れ部分、並びに、第１の電気コンタクトロール及び第２の電気コンタクトロールを更に含むハウジング挿入部分を含むポジティブロックレセプタクルと、ポジティブロックレセプタクルを受け入れるように適合されたハウジングとを含み、ハウジングは、絶縁ハウジング本体、並びに、絶縁ハウジング本体内に配置されている第１のクラッシュリブ及び絶縁ハウジング本体内に配置されている第２のクラッシュリブを含み、第１のクラッシュリブ及び第２のクラッシュリブは、ポジティブロックレセプタクルのハウジング挿入部分がハウジングに挿入されたとき第１の電気コンタクトロール及び第２の電気コンタクトロールにそれぞれ係合しこれらを固定する。
本明細書に組み込まれておりその一部を形成している添付の図面は、本発明の１つ又は複数の例示的な実施形態を概略的に図示しており、上記の一般的な説明及び下記の詳細な説明と併せて、本発明の原理を説明する役割を果たす。
【図面の簡単な説明】
【０００６】
【図１】本発明の例示的な実施形態に係るポジティブロックレセプタクルの正面斜視図である。
【図２】図１のポジティブロックレセプタクルの平面図である。
【図３】本発明の例示的な実施形態に係るレセプタクルハウジングの背面斜視図である。
【図４】図３のレセプタクルハウジングの背面図である。
【図５】図３のレセプタクルハウジングに適正に挿入され係合してコネクタを形成している、図１のポジティブロックレセプタクルの背面斜視図である。
【図６】図５のコネクタの正面図である。
【図７】保護キャップも示されている、複数のレセプタクルハウジングに挿入されている複数のポジティブロックレセプタクルの上面斜視図である。
【発明を実施するための形態】
【０００７】
本発明の例示的な実施形態について、ここで図を参照して説明する。様々な要素及び構造に言及するために、詳細な説明の全体を通して参照番号を使用する。以下の詳細な説明は説明の目的で多くの詳細を含んでいるが、以下の詳細に対する多くの変更及び改変が本発明の範囲内にあることを、当業者は理解するであろう。したがって、続く本発明の実施形態は、特許請求される本発明の一般性を何ら損なうことなく、かつこれに限定を課すことなく、記載されている。
【０００８】
既に述べたように、本発明は、コネクタハウジングに挿入されているポジティブロックレセプタクルを確実に保持するための複数のクラッシュリブを含む、絶縁されているコネクタハウジングを提供する。図を参照すると、図１及び図２は、本発明のコネクタハウジングと一緒に使用するための例示的なポジティブロック端子又はレセプタクルの図を提供している。図１〜図２に示すように、例示的なポジティブロック端子／レセプタクル１００は、絶縁バレル１０２とハウジング挿入部分１０４とを含む。絶縁バレル１０２は、第１のキャリアストリップ１１０と、絶縁クリンプ１１２と、ワイヤバレルクリンプ１１４と、人間工学に基づいた保持壁１１６と、第２のキャリアストリップ１１８と、を更に含む。ハウジング挿入部分１０４は、第１の電気コンタクトロール１２０と、第２の電気コンタクトロール１２２と、ロック陥凹部１２４と、解放ラッチ１２６と、を含む。
【０００９】
図３〜図６は本発明の例示的な実施形態に係るクラッシュリブコネクタハウジング２００の図を提供しており、それらにおいては、クラッシュリブコネクタハウジング２００は、ポジティブロックレセプタクル１００を受け入れ、ポジティブロックレセプタクル１００を確実に保持するように適合されている。図３〜図６に示すように、コネクタハウジング２００は、他のコネクタと接合又は嵌合するための嵌合端部２０２と、ポジティブロックレセプタクル１００のハウジング挿入部分１０４を受け入れるためのレセプタクル挿入端部（ワイヤ出口）２０４と、を含む。コネクタハウジング２００は、絶縁ハウジング本体２１０（その材料により、コネクタハウジング２００は電気絶縁特性を得る）と、保持タブ２１２と、第１のクラッシュリブ２１４と、第２のクラッシュリブ２１６と、ポジティブロックカム（ＣＡＭ）２１８と、第１のコンタクト停止部２２０と、第２のコンタクト停止部２２２と、第３のコンタクト停止部２２４と、を更に含み、これらは全て、ハウジング挿入部分１０４をコネクタハウジング２００内に適正に配置する役割を果たす。
図７に示すように、保護キャップ３００は、本体３０２と、そこに形成されている複数の保持アーム３０４と、を含み、保持アーム３０４は、絶縁ハウジング本体２１０に形成されている複数の保持タブ２１２と協働して、キャップ３００をコネクタハウジング２００に接続し、ポジティブロックレセプタクル１００を囲い込む。
【００１０】
適切に組み付けると、電気ワイヤはポジティブロックレセプタクル１００で終端され、ポジティブロックレセプタクル１００は次いで、図７に示すようにコネクタハウジングに挿入される。十分な力をかけると、第１の電気コンタクトロール１２０及び第２の電気コンタクトロール１２２は、第１のクラッシュリブ２１４及び第２のクラッシュリブ２１６にそれぞれ係合する。挿入工程の間、第１及び第２のクラッシュリブ２１４及び２１６は変形し、このことにより、コンタクトロールに対して大きな応力を生じさせることなく、電気コンタクトロール１２０及び１２２とコネクタハウジング２００との間の緊密かつ確実な嵌合が保証される。キャップ３００は次いでコネクタハウジング２００に取り付けられ、この結果、完全なレセプタクルコネクタが形成される。
【００１１】
本発明をその例示的な実施形態の説明によって例示してきたが、及び、それらの実施形態をある程度詳細に説明してきたが、付属の特許請求の範囲をそのような詳細に制限する又は何らかの形で限定する意図は、全くない。当業者には、追加の利点及び修正が容易に明らかになるであろう。したがって、その広い解釈における本発明は、図示され説明されている特定の詳細、代表的なデバイス及び方法、並びに／又は説明用の例の、いずれにも限定されない。したがって、全体的な新規な概念の趣旨又は範囲から逸脱することなく、そのような詳細からの変更を行うことができる。
【図１】
2019525438.tif 000003
【図２】
2019525438.tif 000004
【図３】
2019525438.tif 000005
【図４】
2019525438.tif 000006
【図５】
2019525438.tif 000007
【図６】
2019525438.tif 000008
【図７】
2019525438.tif 000009
【国際調査報告】
2019525438.tif 000010
2019525438.tif 000011